(57)【要約】【課題】撮像装置の高コスト化及び大型化を招くことなく、可動部材の衝突時における振動や騒音の発生、及び操作部材の衝突時における振動や騒音の発生を緩和する仕組みを提供する。【解決手段】発光装置は、引張りバネ２０によって上方向に付勢された可動部材５のストッパ部１０ｂと、圧縮バネ２１によって初期位置に付勢された操作レバー８の当接部８ｂとを、同一の弾性部材１８の異なる箇所に時間差をもって当接させる。【選択図】図４
2015001714.tif 000002
【特許請求の範囲】
【請求項１】
発光部を有し、撮像装置の装置本体に収納される収納位置と前記装置本体から突出した発光位置との間を移動する可動部材と、
前記可動部材を前記収納位置と前記発光位置との間で移動可能に支持する支持部材と、  前記支持部材に一方の端部が保持され、前記可動部材に他方の端部が保持されて、前記可動部材を前記発光位置に向けて付勢する第１の付勢部材と、
前記可動部材を前記付勢部材の付勢力に抗して前記収納位置に保持する初期位置と前記保持を解除して前記可動部材を前記付勢部材の付勢力により前記発光位置に移動させる解除位置との間で切替操作が可能な操作部材と、
前記操作部材を前記初期位置に向けて付勢する第２の付勢部材と、
前記可動部材が前記第１の付勢部材の付勢力により前記発光位置に移動した際に、前記可動部材に設けられたストッパ部が当接して弾性変形するとともに、前記操作部材が前記第２の付勢部材の付勢力により前記初期位置に復帰した際に、前記操作部材に設けられた当接部が前記ストッパ部と異なる箇所に当接して弾性変形する弾性部材と、を備え、
前記操作部材の前記当接部は、前記弾性部材に対して、前記可動部材の前記ストッパ部が当接した後に、当接することを特徴とする発光装置。
【請求項２】
前記第１の付勢部材の付勢力は、前記第２の付勢部材の付勢力より大きいことを特徴とする請求項１に記載の発光装置。
【請求項３】
前記弾性部材は、前記当接部が当接する方向の厚みが前記ストッパ部が当接する方向の厚みよりも大きいことを特徴する請求項１又は２に記載の発光装置。
【請求項４】
前記操作部材は、前記当接部が前記弾性部材に当接した後、前記初期位置で外装部材に係止されることを特徴する請求項１乃至３のいずれか一項に記載の発光装置。
【請求項５】
前記可動部材が前記第１の付勢部材の付勢力により前記発光位置に移動した際に、前記可動部材に設けられた他のストッパ部が当接して弾性変形する他の弾性部材を有し、
前記弾性部材と前記他の弾性部材とは、前記可動部材を間に挟んで互いに対向する位置に配置されることを特徴とする請求項１乃至４のいずれか一項に記載の発光装置。
【請求項６】
前記可動部材が前記第１の付勢部材の付勢力により前記発光位置に移動した際に、前記可動部材に設けられた他のストッパ部が当接して弾性変形する他の弾性部材を有し、
前記弾性部材と前記他の弾性部材とは、前記第１の付勢部材を間に挟んで互いに対向する位置に配置されることを特徴とする請求項１乃至４のいずれか一項に記載の発光装置。
【請求項７】
前記ストッパ部が当接した際の前記弾性部材の弾性変形量は、前記他のストッパ部が当接した際に前記他の弾性部材の弾性変形量と一致することを特徴とする請求項５又は６に記載の発光装置。
【請求項８】
発光装置を備える撮像装置であって、
前記発光装置として、請求項１乃至７のいずれか一項に記載の発光装置を備えることを特徴とする撮像装置。
【発明の詳細な説明】
【技術分野】
【０００１】
本発明は、例えばデジタルカメラ等の撮像装置に搭載されるストロボユニット等の発光装置、及び発光装置を備える撮像装置に関する。
【背景技術】
【０００２】
デジタルカメラ等の撮像装置では、ストロボ発光部を有する可動部材を装置本体の内部の収納位置と装置本体から突出した発光位置との間で移動させる、所謂ポップアップ式のストロボユニットを備えるものがある。
【０００３】
可動部材を装置本体の収納位置から発光位置に移動させる駆動方式としては、低コスト化、及び省スペース化の観点から、バネ部材が多く用いられている。また、バネ部材を用いると、操作レバーのスライド操作等により、付勢力を解放して可動部材を発光位置へ瞬時に移動させることができる為、操作性にも優れたものとなる。
【０００４】
一方、バネ部材を用いた場合、可動部材は、収納位置から発光位置まで移動する際に、外装カバーや装置本体の内部に設けられたストッパ部に衝突することで停止するため、衝突時の衝撃でバネ部材の振動や騒音が発生し、ユーザに不快感を与える問題がある。
【０００５】
そこで、移動するガイドピンに衝突するストッパ部をゴムやスポンジなどの弾性部材で形成することで、可動部材が発光位置で停止した際の振動や騒音の発生を緩和する技術が提案されている（特許文献１）。
【先行技術文献】
【特許文献】
【０００６】
【特許文献１】特開２０１１−４８２４９号公報
【発明の概要】
【発明が解決しようとする課題】
【０００７】
ところで、操作レバーをスライド操作して可動部材を発光位置へ移動させる際には、操作レバーを指等で圧縮バネ等の付勢部材の付勢力に抗してスライド操作する。そして、スライド操作後、操作レバーから指等を離すと、操作レバーは、付勢部材の付勢力により元の位置に復帰する。
【０００８】
このとき、上述した可動部材と同様に、操作レバーの衝突による振動や騒音等が発生する。特に、操作レバーは、装置本体の外装面に露出しており、衝突時の振動や騒音が直接ユーザに伝わりやすい。この場合、操作レバーにもゴムやスポンジなどの弾性部材を設けて衝突時の振動や騒音の発生を緩和することが考えられる。
【０００９】
しかし、操作レバーにもゴムやスポンジなどの弾性部材を設けると、新たな弾性部材を追加する必要が生じるとともに、新たな弾性部材の配置スペースを確保する必要が生じ、撮像装置の高コスト化及び大型化を招く原因になる。
【００１０】
そこで、本発明は、撮像装置の高コスト化及び大型化を招くことなく、可動部材の衝突時における振動や騒音の発生、及び操作部材の衝突時における振動や騒音の発生を緩和する仕組みを提供することを目的とする。
【課題を解決するための手段】
【００１１】
上記目的を達成するために、本発明の発光装置は、発光部を有し、撮像装置の装置本体に収納される収納位置と前記装置本体から突出した発光位置との間を移動する可動部材と、前記可動部材を前記収納位置と前記発光位置との間で移動可能に支持する支持部材と、前記支持部材に一方の端部が保持され、前記可動部材に他方の端部が保持されて、前記可動部材を前記発光位置に向けて付勢する第１の付勢部材と、前記可動部材を前記付勢部材の付勢力に抗して前記収納位置に保持する初期位置と前記保持を解除して前記可動部材を前記付勢部材の付勢力により前記発光位置に移動させる解除位置との間で切替操作が可能な操作部材と、前記操作部材を前記初期位置に向けて付勢する第２の付勢部材と、前記可動部材が前記第１の付勢部材の付勢力により前記発光位置に移動した際に、前記可動部材に設けられたストッパ部が当接して弾性変形するとともに、前記操作部材が前記第２の付勢部材の付勢力により前記初期位置に復帰した際に、前記操作部材に設けられた当接部が前記ストッパ部と異なる箇所に当接して弾性変形する弾性部材と、を備え、前記操作部材の前記当接部は、前記弾性部材に対して、前記可動部材の前記ストッパ部が当接した後に、当接することを特徴とする。
【発明の効果】
【００１２】
本発明によれば、撮像装置の高コスト化及び大型化を招くことなく、可動部材の衝突時における振動や騒音の発生、及び操作部材の衝突時における振動や騒音の発生を緩和することができる。
【図面の簡単な説明】
【００１３】
【図１】（ａ）は、本発明の発光装置の第１の実施形態であるストロボユニットを搭載したデジタルスチルカメラを正面側（被写体側）から見た斜視図である。（ｂ）は、（ａ）に示すデジタルスチルカメラに搭載されたストロボユニットの可動部材が発光位置に移動した状態を示す斜視図である。
【図２】（ａ）は可動部材が収納位置にあるときのストロボユニットを正面側から見た斜視図、（ｂ）は可動部材が発光位置にあるときのストロボユニットを正面側から見た斜視図、（ｃ）は（ｂ）の背面側から見た斜視図である。
【図３】（ａ）はストロボユニットの上面図、（ｂ）は可動部材が収納位置にあるときの（ａ）のＳ１−Ｓ１線断面図である。
【図４】（ａ）は操作レバーによるロック部材のロック解除後の図３（ａ）のＳ１−Ｓ１線断面図、（ｂ）は可動部材が発光位置に移動するとともに、操作レバーが初期位置に復帰したときの図３（ａ）のＳ１−Ｓ１線断面図である。
【図５】（ａ）は可動部材が収納位置にあるときの第１の弾性部材と第２の弾性部材との位置関係を示す斜視図、（ｂ）は（ａ）の背面側から見た斜視図である。（ｃ）は可動部材が発光位置にあるときの第１の弾性部材と第２の弾性部材との位置関係を示す斜視図、（ｄ）は（ｃ）の背面側から見た斜視図である。
【図６】（ａ）はストロボユニットの上面図、（ｂ）は可動部材が収納位置にあるときの（ａ）のＳ２−Ｓ２線断面図である。
【図７】（ａ）は正面側のストッパ部及び背面側のストッパ部がそれぞれ第２の弾性部材及び第１の弾性部材に衝突した瞬間での図６（ａ）のＳ２−Ｓ２線断面図、（ｂ）は可動部材が発光位置にあるときの図６（ａ）のＳ２−Ｓ２線断面図である。
【図８】（ａ）は、本発明の発光装置の第２の実施形態であるストロボユニットにおいて、可動部材が収納位置にあるときの状態を正面側から見た斜視図である。（ｂ）は可動部材が発光位置にあるときのストロボユニットを正面側から見た斜視図、（ｃ）は（ｂ）の背面側から見た斜視図である。
【図９】（ａ）はストロボユニットの上面図、（ｂ）は可動部材が収納位置にあるときの（ａ）のＳ３−Ｓ３線断面図である。
【図１０】（ａ）は操作レバーによるロック解除後の図９（ａ）のＳ３−Ｓ３線断面図、（ｂ）は可動部材が発光位置に移動するとともに、操作レバーが初期位置に復帰したときの図９（ａ）のＳ３−Ｓ３線断面図である。
【図１１】（ａ）は可動部材が収納位置にあるときの第１の弾性部材と第２の弾性部材との位置関係を示す斜視図、（ｂ）は（ａ）の背面側から見た斜視図である。（ｃ）は可動部材が発光位置にあるときの第１の弾性部材と第２の弾性部材との位置関係を示す斜視図、（ｄ）は（ｃ）の背面側から見た斜視図である。
【発明を実施するための形態】
【００１４】
以下、本発明の実施形態を図面を参照して説明する。
【００１５】
（第１の実施形態）
図１（ａ）は、本発明の発光装置の第１の実施形態であるストロボユニットを搭載したデジタルスチルカメラを正面側（被写体側）から見た斜視図である。図１（ｂ）は、図１（ａ）に示すデジタルスチルカメラに搭載されたストロボユニットの可動部材が発光位置に移動した状態を示す斜視図である。なお、本実施形態では、撮像装置として、デジタルスチルカメラを例示するが、これに限定されない。
【００１６】
図１に示すデジタルスチルカメラは、カメラ本体１の正面側にレンズ部２が設けられ、カメラ本体１の上面部には、レリーズボタン３及び電源ボタン４等が設けられている。また、カメラ本体１の正面側から見て右側の上面部には、ストロボユニット７が設けられ、右側の側面部には、ストロボユニット７の操作レバー８が露出して設けられている。ここで、カメラ本体１は、本発明の装置本体の一例に相当する。
【００１７】
操作レバー８を操作することにより、ストロボユニット７の可動部材５が、カメラ本体１に収納された収納位置（図１（ａ））とカメラ本体１の上面部から上方に突出した発光位置（図１（ｂ））との間で直進移動可能とされている。
【００１８】
そして、可動部材５が発光位置に移動した状態で、可動部材５に設けられたキセノン管２２（図６参照）からプリズム６を介して被写体に向けてストロボ光が発光される。ここで、キセノン管２２及びプリズム６は、本発明の発光部の一例に相当する。
【００１９】
図２（ａ）は、可動部材５が収納位置にあるときのストロボユニット７を正面側から見た斜視図である。図２（ｂ）は、可動部材５が発光位置にあるときのストロボユニット７を正面側から見た斜視図である。図２（ｃ）は、図２（ｂ）の背面側から見た斜視図である。
【００２０】
図２に示すように、可動部材５は、プリズム６、キセノン管２２（図６参照）及び不図示のトリガーコイルなどの内部部品を有し、内部部品は、正面側ケース９及び背面側ケース１０により覆われる。正面側ケース９は、可動部材５の正面、上面及び両側面の外装を形成している。
【００２１】
キセノン管２２やトリガーコイルは、配線材１３を介してコンデンサ１１及び回路基板１２に接続され、これにより、発光する為の電気回路を形成している。また、可動部材５は、正面側カバー１４と背面側カバー１５との間に挟まれた状態で、収納位置と発光位置との間で上下方向に直進移動が可能に支持されている。ここで、正面側カバー１４及び背面側カバー１５は、本発明の支持部材の一例に相当する。
【００２２】
背面側カバー１５には、コンデンサ１１、及び回路基板１２が取り付けられている。また、背面側カバー１５には、可動部材５を収納位置で移動規制するロック部材１６が設けられている。
【００２３】
ロック部材１６は、背面側カバー１５に対して左右方向（水平方向）にロック位置とロック解除位置との間で移動可能に保持され、圧縮コイルバネ１７（以下、圧縮バネ１７という。）によりロック位置（初期位置）の方向に付勢されている。ここで、操作レバー８及びロック部材１６は、本発明の操作部材の一例に相当する。
【００２４】
正面側ケース９には、ストッパ部９ａが設けられ、背面側ケース１０には、ストッパ部１０ｂ（図３（ｂ）参照）が設けられている。また、操作レバー８が設けられる側面カバー７ａには、第１の弾性部材１８が取り付けられ、正面側カバー１４には、第２の弾性部材１９が取り付けられている。操作レバー８、及び側面カバー７ａの一部は、カメラ本体１の正面側から見て右側の側面外装に露出する（図１（ａ）参照）。
【００２５】
第１及び第２の弾性部材１８，１９は、気泡構造を有するスポンジやシリコンゴム等のシート材から切り出されて形成され、厚みが一定とされている。また、第１及び第２の弾性部材１８，１９は、それぞれ側面カバー７ａ及び正面側カバー１４への組み付け方向が限定されないように、略Ｔ字状で左右対称形状となっている。
【００２６】
そして、可動部材５が発光位置まで移動した際、正面側ケース９のストッパ部９ａが第２の弾性部材１９に衝突し、背面側ケース１０のストッパ部１０ｂが第１の弾性部材１８に衝突（図４（ａ）参照）することで、可動部材５の停止時の衝撃を緩和する。
【００２７】
図３（ａ）は、ストロボユニット７の上面図である。図３（ｂ）は、可動部材５が収納位置にあるときの図３（ａ）のＳ１−Ｓ１線断面図である。図４（ａ）は、操作レバー８によるロック部材１６のロック解除後の図３（ａ）のＳ１−Ｓ１線断面図である。図４（ｂ）は、可動部材５が発光位置に移動するとともに、操作レバー８が初期位置に復帰したときの図３（ａ）のＳ１−Ｓ１線断面図である。
【００２８】
図５（ａ）は可動部材５が収納位置にあるときの第１の弾性部材１８と第２の弾性部材１９との位置関係を示す斜視図、図５（ｂ）は図５（ａ）の背面側から見た斜視図であり、それぞれ図３（ｂ）に対応している。図５（ｃ）は可動部材５が発光位置にあるときの第１の弾性部材１８と第２の弾性部材１９との位置関係を示す斜視図、図５（ｄ）は図５（ｃ）の背面側から見た斜視図であり、それぞれ図４（ｂ）に対応している。
【００２９】
図３及び４に示すように、引張りコイルバネ２０（以下、引張りバネ２０という。）は、一方の端部が背面側カバー１５に設けられた固定側のフック部１５ａに掛止され、他方の端部が可動部材５の背面側ケース１０に設けられたフック部１０ａに掛止されている。かかる掛止状態においては、引張りバネ２０は、図３（ｂ）に示す可動部材５の収納位置で上下方向に最も伸張した状態となっている。ここで、引張りバネ２０は、本発明の第１の付勢部材の一例に相当する。
【００３０】
また、可動部材５の背面側ケース１０には、ストッパ部１０ｂが設けられている。図４（ａ）に示す可動部材５の収納位置で可動部材５を上方向に移動させようとする引張りバネ２０の付勢力は、ロック部材１６に形成された受け面であるロック部１６ａがストッパ部１０ｂに当接することで受け止められる。
【００３１】
これにより、可動部材５は、カメラ本体１内部の収納位置に保持される。また、ストッパ部１０ｂは、可動部材５が発光位置に移動した際に、第１の弾性部材１８に当接して可動部材５を停止させる（図４（ａ）参照）。
【００３２】
圧縮コイルバネ２１（以下、圧縮バネ２１という。）は、操作レバー８を図の上方向に付勢する。操作レバー８の上端部には、当接部８ｂが設けられ、操作レバー８の側部には、ストッパ部８ｃが設けられている。ここで、圧縮バネ２１は、本発明の第２の付勢部材の一例に相当する。
【００３３】
そして、可動部材５が図３（ｂ）に示す収納位置にあるとき、操作レバー８の当接部８ｂが第１の弾性部材１８に当接し、ストッパ部８ｃが側面カバー７ａに係止した状態で、圧縮バネ２１が付勢されている。ここで、図３（ｂ）及び図４（ｂ）において、領域１８ｂは、操作レバー８の当接部８ｂによって第１の弾性部材１８が押圧されて弾性変形した領域を示している。ここで、側面カバー７ａは、本発明の外装部材の一例に相当する。
【００３４】
また、圧縮バネ２１は、図４（ａ）に示すように、ユーザが指等で操作レバー８を付勢力に抗して矢印Ａ方向にスライド操作している間は、圧縮状態となる。また、圧縮バネ２１は、ユーザが操作レバー８から指等を離すと、図４（ｂ）に示すように、その付勢力により操作レバー８を初期位置に復帰させる。
【００３５】
本実施形態では、操作レバー８に設けられた摺動面８ａとロック部材１６に設けられた摺動面１６ｂとが操作レバー８のスライド方向に対して傾斜して互いに接する斜面で形成されている。そのため、操作レバー８を矢印Ａ方向にスライド操作すると、ロック部材１６が所謂くさび作用によりロック位置からロック解除位置に移動する。
【００３６】
即ち、ロック部材１６は、ロック部１６ａがストッパ部１０ｂに係合するロック位置からロック部１６ａがストッパ部１０ｂから退避するロック解除位置との間で操作レバー８を介して切替操作が可能とされている。
【００３７】
操作レバー８を介してロック部材１６をロック解除位置に切替操作することで、引張りバネ２０の付勢力が解放され、可動部材５が上方向に移動する。
【００３８】
そして、ストッパ部１０ｂが第１の弾性部材１８に衝突するとともに、ストッパ部９ａが第２の弾性部材１９に衝突し、それぞれの弾性部材１８，１９を弾性変形させる。その後、可動部材５は、引張りバネ２０の付勢力と２つの弾性部材１８，１９の反発力とが釣り合った位置、即ち、図４（ｂ）に示す発光位置で停止する。
【００３９】
図５に示すように、第１の弾性部材１８と第２の弾性部材１９とは、可動部材５を間に挟んで互いに対向する位置に配置される。ここで、第１の弾性部材１８及び第２の弾性部材１９は、材質だけでなく、ストッパ部１０ａとの当接面積、ストッパ部９ａとの当接面積、及び高さや厚みを共通とすることで、環境温度が変化した際の弾性反発力の変化率を略一致させることができる。これにより、カメラ本体１が様々な環境下で使用されても、可動部材５が発光位置で傾くことなく保持される。
【００４０】
また、第１の弾性部材１８と第２の弾性部材１９とを、引張りバネ２０を間に挟んで互いに対向する位置に配置するようにしてもよい。このような配置とすることで、可動部材５を移動させる引張りバネ２０の付勢力をバランスよく受けることができ、上記同様の効果を得ることが可能である。
【００４１】
なお、発光位置に移動した可動部材５は、ユーザがその上面をカメラ本体１の内部に押し込むことによって、収納位置へ移動可能である。このとき、背面側のストッパ部１０ｂの下面がロック部材１６の摺動面１６ｂに当接して圧縮バネ１７の付勢力に抗してロック部材１６を退避させる。
【００４２】
その後、ストッパ部１０ｂの上面にロック部１６ａが係合し、引張りバネ２０が伸張した状態で可動部材５がカメラ本体１内の収納位置に保持される（図３（ｂ）参照）。
【００４３】
図６（ａ）はストロボユニット７の上面図、図６（ｂ）は可動部材５が収納位置にあるときの図６（ａ）のＳ２−Ｓ２線断面図である。
【００４４】
図７（ａ）は、正面側のストッパ部９ａ及び背面側のストッパ部９ｂがそれぞれ第２の弾性部材１９及び第１の弾性部材１８に衝突した瞬間での図６（ａ）のＳ２−Ｓ２線断面図である。図７（ｂ）は、可動部材５が発光位置にあるときの図６（ａ）のＳ２−Ｓ２線断面図である。
【００４５】
図６及び図７において、左側がカメラ本体１の正面側、即ち被写体側となる。図６（ｂ）の状態で操作レバー８をスライド操作すると、上述したように、ロック部材１６によるロックが解除され、図７（ａ）に示すように、可動部材５が上方に移動する。
【００４６】
そして、正面側のストッパ部９ａが第２の弾性部材１９に衝突するとともに、背面側のストッパ部１０ｂが第１の弾性部材１８に衝突する。その後、可動部材５は、更に上昇し、それぞれの弾性部材１８，１９が変形させられた状態で図７（ｄ）の位置、即ち発光位置で停止する。
【００４７】
図７（ｂ）における領域１８ａは、背面側のストッパ部１０ｂの衝突によって第１の弾性部材１８が弾性変形した領域を示し、領域１９ａは、正面側のストッパ部９ａの衝突によって第２の弾性部材１９が弾性変形した領域を示している。
【００４８】
ここで、第１の弾性部材１８における領域１８ａの変形量と第２の弾性部材１９における領域１９ａの変形量とはほぼ一致しており、可動部材５は、発光位置において、前後方向に傾くことなく安定して保持される。
【００４９】
また、図７（ｂ）に示すように、第１の弾性部材１８に対して、背面側のストッパ部１０ｂの衝突によって弾性変形した領域１８ａと操作レバー８の復帰時における当接部８ｂの衝突によって弾性変形した領域１８ｂとは、近接して配置されている。
【００５０】
ここで、可動部材５は、ロックが解除されると同時に瞬間的に上方に移動するのに対し、操作レバー８は、ユーザが可動部材５の発光位置への移動が完了したことを確認してから指を離し、元の位置へ復帰する。そのため、第１の弾性部材１８に対する背面側のストッパ部１０ｂの当接と操作レバー８の当接部８ｂの当接とには時間差が生じる。
【００５１】
このように、本実施形態では、第１の弾性部材１８に対して、異なる箇所に背面側のストッパ部１０ｂと操作レバー８の当接部８ｂとが時間差をもって衝突することで、繰り返し耐久による第１の弾性部材１８のヘタリを軽減している。
【００５２】
ところで、レンズ部２が被写体側に大きく突出したカメラ本体１においては、ストロボ光がレンズ部２に遮られ、撮影画像に影やムラが発生しやすい。
【００５３】
この場合、可動部材５の発光位置で、ストロボ光がレンズ部２に遮られないレンズ部２の光軸とプリズム６の光軸との距離を確保さえできていれば、可動部材５の停止位置の精度は大きな問題とならない。
【００５４】
一般的に弾性部材は、加工上の外形ばらつきや材質のロット差が大きいため、弾性部材の反発力によって規定される可動部材５の停止位置は多少ばらついてしまうが、プリズム６はこうした照射角の余裕を考慮して設計されている。
【００５５】
一方、操作レバー８は、停止位置がばらつくと、側面カバー７ａとの外観上の隙間が不均一となるため、その停止位置精度が重要となる。
【００５６】
そこで、操作レバー８は、当接部８ｂが第１の弾性部材１８に衝突して第１の弾性部材１８を弾性変形させながら減速しつつ、最終的にストッパ部８ｃが側面カバー７ａに係止することで停止する。これにより、操作レバー８を側面カバー７ａに対して規定の位置に精度良く停止させることが可能となる。
【００５７】
また、第１の弾性部材１８は、操作レバー８の当接部８ｂが衝突して弾性変形する領域１８ｂの高さ方向（当接方向）の寸法が、背面側のストッパ部１０ｂが衝突して弾性変形する領域１８ａの高さ方向の寸法より大きくなっている。
【００５８】
弾性部材は、変形する方向の厚みを大きくとって弾性領域を増やすと、弾性反発力と圧縮バネ２１の付勢力とが釣り合うまでの変形量、つまり操作レバー８の停止位置までのストロークが大きくなる。
【００５９】
従って、領域１８ｂの高さ方向の寸法を領域１８ａの高さ方向の寸法より大きくすることで、第１の弾性部材１８の弾性反発力と圧縮バネ２１の付勢力とが釣り合うよりも前に、操作レバー８のストッパ部８ｃを側面カバー７ａに確実に係止させることができる。これにより、操作レバー８と側面カバー７ａとの外観上の隙間が不均一になるのを防止することができる。
【００６０】
また、本実施形態では、領域１８ａの弾性変形量が領域１８ｂの弾性変形量と比較して大きい。これは、引張りバネ２０の付勢力が、圧縮バネ２１の付勢力よりも大きいためであり、可動部材５の発光位置において正面側ストッパ部９ａ及び背面側ストッパ部１０ｂがそれぞれ第２の弾性部材１９及び第１の弾性部材１８に食い込んだ状態となっている。これにより、可動部材５が安定して保持され、カメラ本体１に揺れが生じた場合の可動部材５の傾きやガタつきを防止することができる。
【００６１】
以上説明したように、本実施形態では、第１の弾性部材１８に対して可動部材５の背面側のストッパ部１０ｂ及び操作レバー８の当接部８ｂをそれぞれ異なる箇所で衝突させている。従って、操作レバー８の衝突時の振動や騒音の発生を緩和するために、新たな弾性部材を追加したり新たな弾性部材の配置スペースを確保したりする必要がなくなる。
【００６２】
これにより、カメラの高コスト化及び大型化を招くことなく、可動部材５の衝突時における振動や騒音の発生、及び操作レバー８の衝突時における振動や騒音の発生を緩和することができる。
【００６３】
（第２の実施形態）
次に、図８乃至図１１を参照して、本発明の発光装置の第２の実施形態であるストロボユニットを搭載したデジタルスチルカメラについて説明する。なお、上記第１の実施形態に対して重複又は相当する部分については、各図に同一符号を付してその説明を省略し、相違点についてのみ説明する。
【００６４】
図８（ａ）は、可動部材５が収納位置にあるときのストロボユニット７０を正面側から見た斜視図である。図８（ｂ）は、可動部材５が発光位置にあるときのストロボユニット７０を正面側から見た斜視図である。図８（ｃ）は、図８（ｂ）の背面側から見た斜視図である。
【００６５】
図８に示すように、カメラ本体１の上面部の外装カバー１０７には、操作レバー１０８が可動部材５の背面側でカメラ本体１の左右方向にスライド操作可能に保持されている。本実施形態では、操作レバー１０８は、可動部材５のロック部材を兼ねており、ロック位置とロック解除位置との間でスライド操作が可能とされて、不図示のロック部と一体に形成されている。また、外装カバー１０７には、第１の弾性部材１１８が保持されている。
【００６６】
図９（ａ）は、ストロボユニット７０の上面図である。図９（ｂ）は、可動部材５が収納位置にあるときの図９（ａ）のＳ３−Ｓ３線断面図である。
【００６７】
図１０（ａ）は、操作レバー１０８によるロック解除後の図９（ａ）のＳ３−Ｓ３線断面図である。図１０（ｂ）は、可動部材５が発光位置に移動するとともに、操作レバー１０８が初期位置に復帰したときの図９（ａ）のＳ３−Ｓ３線断面図である。
【００６８】
図１１（ａ）は可動部材５が収納位置にあるときの第１の弾性部材１１８と第２の弾性部材１９との位置関係を示す斜視図、図１１（ｂ）は図１１（ａ）の背面側から見た斜視図であり、それぞれ図９（ｂ）に対応している。図１１（ｃ）は可動部材５が発光位置にあるときの第１の弾性部材１１８と第２の弾性部材１９との位置関係を示す斜視図、図１１（ｄ）は図１１（ｃ）の背面側から見た斜視図であり、それぞれ図１０（ｂ）に対応している。
【００６９】
図９に示すように、操作レバー１０８のスライド方向の側面には、当接部１０８ａが設けられるとともに、外装カバー１０７に係止するストッパ部１０８ｂが設けられる。図９（ｂ）に示すように、可動部材５の収納位置において、操作レバー１０８は、当接部１０８ａが第１の弾性部材１１８に当接し、ストッパ部１０８ｂが外装カバー１０７に係止した状態で、圧縮バネ１７によって図の左方向に付勢されている。
【００７０】
ここで、図９（ｂ）及び図１０（ｂ）において、領域１１８ｂは、操作レバー１０８の当接部１０８ａの衝突によって第１の弾性部材１１８が弾性変形した領域を示している。圧縮バネ１７は、ユーザが指等で操作レバー１０８を図１０（ａ）の矢印Ｂ方向にスライド操作している間は圧縮状態とされる。
【００７１】
また、圧縮バネ１７は、ユーザが操作レバー１０８から指等を離した後は、図１０（ｂ）に示すように、その付勢力により操作レバー１０８を押し戻し、再びストッパ部１０８ｂを外装カバー１０７に係止させた状態の初期位置に戻る。ここで、本実施形態では、圧縮バネ１７が本発明の第２の付勢部材の一例に相当し、操作レバー１０８が本発明の操作部材の一例に相当する。
【００７２】
本実施形態では、操作レバー１０８は、第１の弾性部材１１８の側面に衝突し、そして、第１の弾性部材１１８を水平方向に弾性変形させながら減速して、最終的にはストッパ部１０８ｂが外装カバー１０７に係止することで停止する。その他の構成は、上記第１の実施形態と同様である。
【００７３】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００７４】
１  カメラ本体
２  レンズ部
５  可動部材
７  ストロボユニット
８  操作レバー
８ｂ  当接部
８ｃ  ストッパ部
９ａ  ストッパ部
１０ｂ  ストッパ部
１８  第１の弾性部材
１９  第２の弾性部材
２１  圧縮バネ
【図１】
2015001714.tif 000003
【図２】
2015001714.tif 000004
【図３】
2015001714.tif 000005
【図４】
2015001714.tif 000006
【図５】
2015001714.tif 000007
【図６】
2015001714.tif 000008
【図７】
2015001714.tif 000009
【図８】
2015001714.tif 000010
【図９】
2015001714.tif 000011
【図１０】
2015001714.tif 000012
【図１１】
2015001714.tif 000013